(57)【要約】エレベータ用の被覆ロープまたはベルトが開示される。被覆ロープまたはベルトは、少なくとも１つのコードと、少なくとも１つのコードを保持するジャケットとを備えることができる。コードは、複数のフィラメントを備えることができる。フィラメントは、二次螺旋構造を有しない。第１の実施例において、フィラメントは、少なくとも１つの内部フィラメントと、この少なくとも１つの内部フィラメントを取り囲む複数の外部フィラメントとを備える。外部フィラメントは、コードの長さに亘って一次螺旋構造を形成することによって一緒に束ねられている。第２の一般的な実施例において、フィラメントは、一次および二次螺旋構造両方を有しない。フィラメントは、コードの長さに沿った１つまたは複数の位置で、拘束ループまたは接着剤によって、一緒に束ねられている。張力コードを作成する方法も開示される。
2014514226.tif 000002
【特許請求の範囲】
【請求項１】
二次螺旋構造を有しない複数のフィラメント（３０）を備える少なくとも１つのコード（２３）と、
この少なくとも１つのコード（２３）を実質的に保持するジャケット（２４）と、
を備えることを特徴とする、エレベータかごを懸架および／または駆動する被覆ロープまたはベルト。
【請求項２】
フィラメント（３０）は、少なくとも１つの内部フィラメント（３１）と、この少なくとも１つの内部フィラメント（３１）を取り囲む複数の外部フィラメント（３２）であって一次螺旋構造を形成する複数の外部フィラメント（３２）とを備えることを特徴とする請求項１記載の被覆ロープまたはベルト。
【請求項３】
外部フィラメント（３２）は、同心であり、同じピッチおよび方向を有することを特徴とする請求項２記載の被覆ロープまたはベルト。
【請求項４】
内部フィラメントは、第１の材料から形成され、外部フィラメントは、第１の材料より大きな荷重支持強度を有する第２の材料から形成されることを特徴とする請求項２記載の被覆ロープまたはベルト。
【請求項５】
第２の材料は、スチールであることを特徴とする請求項４記載の被覆ロープまたはベルト。
【請求項６】
第１の材料は、高分子材料であることを特徴とする請求項５記載の被覆ロープまたはベルト。
【請求項７】
内部フィラメント（３１）は、少なくとも１つの拘束ループ（３７）によって一緒に束ねられていることを特徴とする請求項２記載の被覆ロープまたはベルト。
【請求項８】
内部フィラメント（３１）は、コードの長さの少なくとも一部に亘って接着剤（３８）によって一緒に束ねられていることを特徴とする請求項２記載の被覆ロープまたはベルト。
【請求項９】
フィラメント（３０）は、一次螺旋構造を有していないことを特徴とする請求項１記載の被覆ロープまたはベルト。
【請求項１０】
フィラメント（３０）は、少なくとも１つの拘束ループ（３７）によって一緒に束ねられていることを特徴とする請求項９記載の被覆ロープまたはベルト。
【請求項１１】
フィラメント（３０）は、接着剤（３８）によって一緒に束ねられていることを特徴とする請求項９記載の被覆ロープまたはベルト。
【請求項１２】
フィラメント（３０）は、第１の材料から作成された少なくとも１つの内部フィラメント（３５）と、第１の材料より大きな荷重支持強度を有する第２の材料から作成された複数の外部フィラメント（３６）とを備えることを特徴とする請求項９記載の被覆ロープまたはベルト。
【請求項１３】
ジャケット（２４）は少なくとも部分的に、少なくとも１つのコード（２３）を包み込むことを特徴とする請求項１記載の被覆ロープまたはベルト。
【請求項１４】
ジャケット（２４）は、ポリウレタンから作成されることを特徴とする請求項１３記載の被覆ロープまたはベルト。
【請求項１５】
エレベータかごと組み合わされることを特徴とする請求項１記載の被覆ロープまたはベルト。
【請求項１６】
複数のフィラメントを二次螺旋構造を有さないコードに配列し（１０１）、
コードのうちの少なくとも１つをジャケット内に少なくとも実質的に保持する（１０２）、
各工程を含むことを特徴とする、エレベータかごを懸架および／または駆動する被覆ロープまたはベルトを形成する方法（１００）。
【請求項１７】
前記の配列する工程（１０１）は、コードが一次螺旋を形成するように、複数の外部フィラメントを少なくとも１つの内部フィラメントの周りに撚り合わせることを含むことを特徴とする請求項１６記載の方法。
【請求項１８】
外部フィラメントは、同心であり、同じピッチおよび方向を有することを特徴とする請求項１７記載の方法。
【請求項１９】
前記の配列する工程（１０１）は、少なくとも１つの拘束ループによってフィラメントを一緒に束ねることを含むことを特徴とする請求項１６記載の方法。
【請求項２０】
前記の配列する工程（１０１）は、コードの長さの少なくとも一部に亘って接着剤によってフィラメントを一緒に束ねることを含むことを特徴とする請求項１６記載の方法。
【請求項２１】
ジャケットは、ポリウレタンから作成されることを特徴とする請求項１６記載の方法。
【請求項２２】
二次螺旋構造を有さない複数のフィラメント（３０）を備えることを特徴とする、エレベータかごを懸架および／または駆動する被覆ロープまたはベルト内で使用されるコード。
【請求項２３】
フィラメント（３０）は、少なくとも１つの内部フィラメント（３１）と、この少なくとも１つの内部フィラメント（３１）を取り囲む複数の外部フィラメント（３２）であって一次螺旋構造を形成する複数の外部フィラメント（３２）とを備えることを特徴とする請求項２２記載のコード。
【請求項２４】
外部フィラメント（３２）は、同心であり、同じピッチおよび方向を有することを特徴とする請求項２３記載のコード。
【請求項２５】
内部フィラメントは、第１の材料から形成され、外部フィラメントは、第１の材料より大きな荷重支持強度を有する第２の材料から形成されることを特徴とする請求項２３記載のコード。
【請求項２６】
第２の材料は、スチールであることを特徴とする請求項２５記載のコード。
【請求項２７】
第１の材料は、高分子材料であることを特徴とする請求項２６記載のコード。
【請求項２８】
内部フィラメント（３１）は、少なくとも１つの拘束ループ（３７）によって一緒に束ねられていることを特徴とする請求項２３記載のコード。
【請求項２９】
内部フィラメント（３１）は、コードの長さの少なくとも一部に亘って接着剤（３８）によって一緒に束ねられていることを特徴とする請求項２３記載のコード。
【請求項３０】
フィラメント（３０）は、一次螺旋構造を有していないことを特徴とする請求項２２記載のコード。
【請求項３１】
フィラメント（３０）は、少なくとも１つの拘束ループ（３７）によって一緒に束ねられていることを特徴とする請求項３０記載のコード。
【請求項３２】
フィラメント（３０）は、接着剤（３８）によって一緒に束ねられていることを特徴とする請求項３０記載のコード。
【請求項３３】
フィラメント（３０）は、第１の材料から作成された少なくとも１つの内部フィラメント（３５）と、第１の材料より大きな荷重支持強度を有する第２の材料から作成された複数の外部フィラメント（３６）とを備えることを特徴とする請求項３０記載のコード。
【発明の詳細な説明】
【技術分野】
【０００１】
本開示は、エレベータシステム内で使用される被覆ロープまたはベルトなどの被覆ロープまたはベルトに関し、より詳細には、エレベータシステムのエレベータかごおよび／またはつり合いおもりを懸架および／または駆動するのに使用される被覆ロープまたはベルトなどの被覆ロープまたはベルトに関し、さらにより詳細には、そのような被覆ロープまたはベルト内で使用される荷重支持コードに関する。
【背景技術】
【０００２】
トラクションエレベータシステムは広く使用されている。トラクションエレベータシステムは一般に、かごと、つり合いおもりと、かごとつり合いおもりを接続する１つまたは複数の被覆ロープまたはベルトと、被覆ロープまたはベルトを移動させるトラクションシーブと、トラクションシーブを回転させるモータ駆動機械とを備えることができる。シーブは鋳鉄から形成される。いくつかのエレベータでは、被覆ロープまたはベルトは、撚りスチールワイヤから形成されたロープである。別のいくつかのエレベータでは、被覆ロープまたはベルトは、外部ジャケット内に撚りスチールワイヤを有するエレベータ被覆ロープまたはベルトである。
【発明の概要】
【発明が解決しようとする課題】
【０００３】
一般に、従来のエレベータ被覆ロープまたはベルトは、強度、適切な被覆ロープまたはベルトの直径、製造費用、および／または耐久性の目的のために特定の数、大きさ、および配列の複数のスチールワイヤを備えることができる。例えば、ある与えられたスチール強度では、被覆ロープまたはベルト内で使用されるスチールワイヤの全断面積が一般に、被覆ロープまたはベルトの強度を決定する。同じ強度のすなわち同じ全断面積のスチールワイヤの被覆ロープまたはベルトでは、より多数の（比較的より小さな直径の）ワイヤを用いると一般に、被覆ロープまたはベルトの製造費用は増加するが、疲れ寿命は長くなるであろう。一方、より少数の（比較的より大きな直径の）ワイヤを用いると一般に、被覆ロープまたはベルトの製造費用は低下するが、疲れ寿命は短くなり、それによって、被覆ロープまたはベルトの耐久性に影響が生じるであろう。
【０００４】
いくつかのエレベータシステムでは、被覆ロープまたはベルトは、各ストランドがフィラメントを備え、強度の増加した二次螺旋構造を形成するように一緒に撚り合わされた、いくつかのストランドを備えることができる。代替として、被覆ロープまたはベルトは、（１＋６＋１２）配列などで、撚り合わされたフィラメントの中心ストランドの周りに撚り合わされたフィラメントの層を備えることができた。しかしながら、これらの解決策は、複数の巻き付け（撚り合わせ）工程を含んでおり、設備ハードウェアを必要とし、製造費用および時間が増大する可能性がある。
【０００５】
さらに、上述した従来のコード配置は、さまざまなピッチ、方向、および／または螺旋軸などの不均一な空間配向を有する螺旋フィラメントを備える。このような不均一さは、コードの耐久性に悪影響を及ぼす可能性がある。さらに、従来の配置のコードはまた、そのようなトラクション張力に起因する騒音を生成する可能性がある。
【０００６】
張力コードはまた、他の技術分野でも使用される。例えば、張力コードは、窓を上下させるために自動車内で使用される。しかしながら、これらのコードは、微小な径の合成樹脂製のフィラメントで形成される。寸法、材料、および用途が大幅に異なるので、これらの張力コードのフィラメント配列は一般に、トラクションエレベータ内で使用するのには不適当であると考えられる。
【課題を解決するための手段】
【０００７】
本発明の一態様では、エレベータかごを懸架および／または駆動する被覆ロープまたはベルトは、少なくとも１つのコードと、この少なくとも１つのコードを保持するジャケットとを備える。コードは、複数のフィラメントを備える。フィラメントは、二次螺旋構造を有しない。
【０００８】
本発明のこの態様および他の態様の代替として、フィラメントは、少なくとも１つの内部フィラメントと、この少なくとも１つの内部フィラメントを取り囲む複数の外部フィラメントであって一次螺旋構造を形成する複数の外部フィラメントとを備える。
【０００９】
本発明のこの態様および他の態様の代替として、外部フィラメントは、同心であり、同じピッチおよび方向を有する。
【００１０】
本発明のこの態様および他の態様の代替として、内部フィラメントは、第１の材料から形成され、外部フィラメントは、第１の材料より大きな荷重支持強度を有する第２の材料から形成される。
【００１１】
本発明のこの態様および他の態様の代替として、第２の材料は、スチールである。
【００１２】
本発明のこの態様および他の態様の代替として、第１の材料は、高分子材料である。
【００１３】
本発明のこの態様および他の態様の代替として、内部フィラメントは、少なくとも１つの拘束ループによって一緒に束ねられている。
【００１４】
本発明のこの態様および他の態様の代替として、内部フィラメントは、コードの長さの少なくとも一部に亘って接着剤によって一緒に束ねられている。
【００１５】
本発明のこの態様および他の態様の代替として、フィラメントは、一次螺旋構造を有していない。
【００１６】
本発明のこの態様および他の態様の代替として、フィラメントは、少なくとも１つの拘束ループによって一緒に束ねられている。
【００１７】
本発明のこの態様および他の態様の代替として、フィラメントは、接着剤によって一緒に束ねられている。
【００１８】
本発明のこの態様および他の態様の代替として、フィラメントは、第１の材料から作成された少なくとも１つの内部フィラメントと、第１の材料より大きな荷重支持強度を有する第２の材料から作成された複数の外部フィラメントとを備える。
【００１９】
本発明のこの態様および他の態様の代替として、ジャケットは少なくとも部分的に、少なくとも１つのコードを包み込む。
【００２０】
本発明のこの態様および他の態様の代替として、ジャケットは、ポリウレタンから作成される。
【００２１】
本発明のこの態様および他の態様の代替として、被覆ロープまたはベルトは、エレベータかごと組み合わせて使用される。
【００２２】
本発明の別の態様では、エレベータかごを懸架および／または駆動する被覆ロープまたはベルトを形成する方法が開示される。方法は、複数のフィラメントを二次螺旋構造を有さないコードに配列し、コードのうちの少なくとも１つをジャケット内に実質的に保持する、各工程を含む。
【００２３】
本発明のこの態様および他の態様の代替として、前記の配列する工程は、コードが一次螺旋を形成するように、複数の外部フィラメントを少なくとも１つの内部フィラメントの周りに撚り合わせることを含む。
【００２４】
本発明のこの態様および他の態様の代替として、外部フィラメントは、同心であり、同じピッチおよび方向を有する。
【００２５】
本発明のこの態様および他の態様の代替として、前記の配列する工程は、少なくとも１つの拘束ループによってフィラメントを一緒に束ねることを含む。
【００２６】
本発明のこの態様および他の態様の代替として、前記の配列する工程は、コードの長さの少なくとも一部に亘って接着剤によってフィラメントを一緒に束ねることを含む。
【００２７】
本発明の別の態様では、エレベータかごを懸架および／または駆動する被覆ロープまたはベルト内で使用されるコードは、二次螺旋構造を有さない複数のフィラメントを備える。
【００２８】
本願で使用されるように、「フィラメント」という用語は、解きほぐすことでさらに分割できない細長い糸のような物体のことを言う。フィラメントが金属の場合、物体はまた、「ワイヤ」と呼ぶことができるであろう。一方、「ストランド」という用語は、解きほぐすことでさらに分割できる細長い糸のような物体のことを言う。例えば、「ストランド」は、複数の絡み合った「フィラメント」を備えることができる。
【００２９】
さらに、本願で使用される「一次」という用語は、複数の撚られていないフィラメントを中心軸に沿って撚り合わせることで形成された螺旋構造のことを言う。一方、「二次」という用語は、複数の一次螺旋構造を異なる中心軸に沿って撚り合わせることで形成された螺旋構造のことを言う。螺旋構造の一次および二次の定義は、技術分野におけるこれらの用語の一般的な使用と一致している。
【００３０】
開示の被覆ロープまたはベルトおよびその作成方法の特徴は、以下により詳細に説明する。ここで開示されている装置および方法が、過度の実験なしに当業者によって広範囲の用途で使用されるように適切に変更され得ることにもここや他の場所で留意されたい。
【００３１】
開示の装置および方法のより完全な理解のためには、添付の図面においてより詳細に示されるさまざまな実施例の被覆ロープまたはベルトを参照されたい。
【図面の簡単な説明】
【００３２】
【図１】本開示の一態様による被覆ロープまたはベルトを使用することができるであろうさまざまな例示的なエレベータシステムの側面図。
【図２】本開示の一態様による被覆ロープまたはベルトを使用することができるであろうさまざまな例示的なエレベータシステムの側面図。
【図３】本開示の一態様による被覆ロープまたはベルトを使用することができるさまざまな例示的なエレベータシステムの側面図。
【図４】実施例の被覆ロープまたはベルトの部分断面図。
【図５】従来の被覆ロープまたはベルト（従来技術）に使用されるコードの拡大断面図。
【図６】本開示の被覆ロープまたはベルトに使用されることができるであろうコードの可能な一配列の拡大断面図。
【図７】本開示の被覆ロープまたはベルトに使用されることができるであろうコードの可能な別の一配列の拡大断面図。
【図８】図７に示されるコードの側面図。
【図９】本開示の被覆ロープまたはベルトに使用されることができるであろうコードの可能な別の一配列の拡大断面図。
【図１０】図９に示されるコードの側面図。
【図１１】本開示の別の態様による図６〜図１０の張力コードを作成する方法のブロック図。
【発明を実施するための形態】
【００３３】
図面が必ずしも一定の縮尺でないこと、開示の配列が時に概略的に部分図で示されていることは理解されたい。特定の場合には、開示の装置および方法の理解に必要でない詳細であって、他の詳細の理解を困難にさせるような詳細については、省略した場合がある。もちろん、本開示が、ここに示される特定の配列に限定されないことは理解されたい。
【００３４】
図１〜図３は、トラクションエレベータシステム１０のさまざまな例示的な構成を示す。本発明の理解に必要でないエレベータシステム１０の特徴（ガイドレール、安全装置、その他など）は、ここでは説明しない。エレベータシステム１０は、１つまたは複数の被覆ロープまたはベルト１６によって昇降路１８内で作動的に懸架または支持されるかご１１を備えることができる。被覆ロープまたはベルト１６はまた、エレベータシステム１０のつり合いをとるとともに作動時にトラクションシーブ１５の両側の被覆ロープまたはベルト１６に張力を維持するのを助けるつり合いおもり１２を懸架または支持することができる。エレベータシステム１０はまた、トラクションシーブ１５と作動的に接続された機械１４を備えるトラクション駆動装置１３を備えることができる。被覆ロープまたはベルト１６は、シーブ１５の回転が（トラクションによって）被覆ロープまたはベルト１６を駆動し、移動させ、または推進し、それによってかご１１および／またはつり合いおもり１２が昇降するように、シーブ１５（そしておそらく、１つまたは複数の追加のダイバータ、ディフレクタ、またはアイドラシーブ１９）と係合する。機械１４は、モータを備えることができ、ギアなしとすることも、ギア変速機を有することもできる。
【００３５】
図１は、１つまたは複数の被覆ロープまたはベルト１６がかご１１とつり合いおもり１２で終わっている１：１ローピング構成を提供する。図２、図３には、かご１１および／またはつり合いおもり１２がそれに付随して１つまたは複数の被覆ロープまたはベルト１６に係合する１つまたは複数の追加のシーブ１９を有することができ、１つまたは複数の被覆ロープまたはベルト１６は、他の場所で、通常は、（機械室なしのエレベータシステムなどでは）昇降路１８内または（機械室を用いるエレベータシステムでは）機械室内の構造で終わっている。ローピング構成において使用される追加のシーブ１９の数は、特定のローピング比（例えば、図２、図３に示す２：１比または別の比）を決定する。さらに、図３は、いわゆるリュックサックまたは片持ち梁型のエレベータシステムを提供する。ここで理解されるはずであるように、さまざまなエレベータシステムで本発明を使用することができるであろう。
【００３６】
図４を参照すると、被覆ロープまたはベルト１６は、ジャケット２４内に少なくとも実質的に保持された１つまたは複数の荷重支持コード２３を備えることができる。「被覆ロープ」とは、単一のコード２３がジャケット２４内にある（例えば、ジャケット内の丸形ロープの）ような、約１のアスペクト比（ロープ幅／ロープ厚みとして定義される）を有する荷重支持構成のことを言う。「被覆ベルト」とは、２つ以上のコード２３がジャケット２４内にあるような、１より大きいアスペクト比（ベルト幅／ベルト厚みとして定義される）を有する荷重支持構成のことを言う。
【００３７】
「実質的に保持される」という句は、エレベータシステム１０の使用時に遭遇し得る荷重が被覆ロープまたはベルト１６に加えられる際に、コード２３がジャケット２４から引き出され、引き離され、および／または、切り離されることのないように、ジャケット２４がコード２３との十分な係合を有することを意味する。すなわち、コード２３は、エレベータシステム１０の使用時にジャケット２４に対してコード２３の最初の位置に留まる。ジャケット２４は、コード２３を（図４に示すものなどのように）完全に包み込む／覆うことができ、コード２３を実質的に包み込む／覆うことができ、または、コード２３を少なくとも部分的に包み込む／覆うことができる。
【００３８】
コード２３のそれぞれは、単一の工程で一緒に配列される複数のフィラメント３０を備える。一実施例では、フィラメント３０の少なくとも一部は、炭素鋼の引っ張りを可能にする特性を有する、炭素鋼などの金属で形成される。典型的なスチールは、約１８００〜約３３００ＭＰａの範囲の引張り強さを生じる中位の炭素含有量を有することができる。スチールは、そのようなプロセスの耐食性および強度の認められている特性のために、冷間引き抜きおよび／または亜鉛メッキされることができる。ジャケット２４は、ポリウレタン材料または適切な強度および耐久性を有する他の材料から形成されることができる。ジャケット２４は、難燃剤成分を含有することもできる。
【００３９】
図５には、（１＋６）構成で中心ストランド２７の周りに撚り合わされた６つの外部ストランド２６を有するものとして、従来のコード２３が図示されている。各ストランド２６はまた、（１＋６）構成で中心フィラメント２９の周りに撚り合わされた６つの外部フィラメント２８を備える。その結果、図５のコード２３は、全体で７×７構成を有しており、二次螺旋構造を備えている。
【００４０】
ここで図６を参照すると、被覆ロープまたはベルト１６の長手方向の長さＬに沿って延在するとともに、複数のフィラメント３０を備えるものとして、本願によるコード２３の第１の可能な配列が図示される。図４に示したように、フィラメント３０は、少なくとも１つの内部フィラメント３１と、この少なくとも１つの内部フィラメント３１を取り囲む複数の外部フィラメント３２とを備えることができる。
【００４１】
可能な改善において、少なくとも７つの外部フィラメント３２がコード２３内に使用されることができる。別の可能な改善において、内部フィラメント３１は、第１の材料から作成されることができ、外部フィラメント３２は、第１の材料より大きな荷重支持強度を有する第２の材料から作成されることができる。例えば、第１の材料は、高分子材料などの非金属材料とすることができ、第２の材料は、スチールなどの金属材料とすることができる。しかしながら、本願の他の実施例では、内部および外部フィラメント（３１、３２）が、例えばスチールなどの同じ材料で形成されることができることは理解されたい。
【００４２】
外部フィラメント３２は、製造時間および費用を低減するように単一の撚り工程を通して一次螺旋構造を形成することができる。そのために、図６の内部および外部フィラメント（３１、３２）は、二次螺旋構造を有しない。上述したように、二次螺旋構造は、撚られていないフィラメントを複数の一次螺旋ストランドへと撚り合せる第１の工程と、その後に続く、これらの一次螺旋ストランドを二次螺旋構造へと撚り合わせる第２の工程とを必要とする。さらに、単一の撚り工程の結果、一次外部フィラメント３２は、同じ、軸、ピッチ、および方向を有することができる。どのような特定の理論に拘束されることも望まずに、フィラメントの空間的な配向のそのような均一性がフィラメントとフィラメントの接触を最小限に抑え、それによって、これまでは知られていなかった有利な特徴である、コード２３の耐久性を向上させること、が可能となることが意図されている。最後に、内部フィラメント３１は、高分子材料から形成されると、外部フィラメント３２に柔らかいクッションを提供し、それによって、さらにフィラメントとフィラメントの接触を低減してコード３０の耐久性を向上させるだけでなく、コード３０を抑制してエレベータ作動時に発生する騒音を低減するが、これらの特徴は両方ともこれまでは知られていない。
【００４３】
ここで図７〜図１０を参照すると、被覆ロープまたはベルト１６の長手方向の長さＬに沿って延在するとともに、被覆ロープまたはベルト１６のジャケット２４内に保持されることができる複数の撚られていないフィラメント３０を備えるものとして、本願によるコード２３の第２の可能な配列が図示される。フィラメント３０は、コード２３の長さＬに沿った１つまたは複数の位置で、単一の工程で、一緒に束ねられている。第２の実施例のフィラメント３０は、束ね工程の後に、撚られていないままである。
【００４４】
可能な一改善において、撚られていないフィラメント３０は、少なくとも１つの内部フィラメント３５と、この少なくとも１つの内部フィラメント３５を取り囲む複数の外部フィラメント３６とを備えることができる。内部フィラメント３５は、第１の材料から作成されることができ、外部フィラメント３６は、第１の材料より大きな荷重支持強度を有する第２の材料から作成されることができる。例えば、第１の材料は、高分子材料などの非金属材料とすることができ、第２の材料は、スチールなどの金属材料とすることができる。しかしながら、コード２３がまた、単一の種類の撚られていないフィラメントを備えることができること、柔らかい内部フィラメントなどの、異なる材料の使用が任意選択的なだけであることは理解されたい。
【００４５】
図７、図８に示すように、撚られていないフィラメント３０は、フィラメント、テープ、または他の適切な束ねるための機構とすることができる少なくとも１つの拘束ループ３７によって一緒に束ねられる。一方、撚られていないフィラメント３０は、図９、図１０に示すように、コード２３の長さＬの少なくとも一部に沿って施される接着剤３８によって一緒に束ねられることができる。
【００４６】
図７〜図１０に示されるコード２３において、フィラメント３０は、製造時間および費用を低減するように単一の束ね工程の後に、撚られていないままである。その結果、この実施例のフィラメント（３０）は、一次および二次構造両方を有しない。どのような特定の理論に拘束されることも望まずに、そのような撚られていない空間的な配向がフィラメントとフィラメントの接触を最小限に抑え、それによって、これまでは知られていなかった有利な特徴である、コード３３の耐久性を向上させること、が可能となることが意図されている。さらに、任意選択的な内部フィラメント３５を使用すると、内部フィラメント３５は、外部フィラメント３６に柔らかいクッションを提供し、それによって、さらにフィラメントとフィラメントの接触を低減してコード２３の耐久性を向上させるだけでなく、コード２３を抑制してエレベータ作動時に発生する騒音を低減するが、これらの特徴は両方ともこれまでは知られていない。
【００４７】
いくつかの代替の配列では、本願によるハイブリッドコード２３を形成する際に、上述したコード２３の特徴の一部または全てが互いに組み合わされることができる。例えば、コードは、一次螺旋外部フィラメントを備えることができるが、さらに拘束ループおよび／または接着剤によって一緒に束ねられる。さらに、コード２３はまた、一緒に束ねられた複数の撚られていない内部フィラメントと、この撚られていない内部フィラメントを取り囲む複数の一次外部フィラメントとを備えることができる。最後に、コードは、いくつかの配列では、少なくとも１つのより柔らかい内部フィラメントを備えることができ、他の配列では、単一の種類のフィラメントを備えることができる。
【００４８】
再び図４を参照すると、１つまたは複数の開示されたコード２３がジャケット２４内に保持される。コード２３は互いに、長さ、直径が等しいものとすることができ、ジャケット２４内でほぼ均等に離間することができる。ジャケット２４は、単一の材料、複数の材料、同一または類似の材料を用いた２つ以上の層、および／またはフィルムを含め、任意の適切な材料とすることができる。一実施例では、ジャケット２４は、例えば押し出しまたはモールドホイール処理を用いてコード２３に施される弾性熱可塑性ウレタンなどの高分子材料から形成される。別の配列では、ジャケット２４は、コード２３を埋め込むおよび／または組み込む織り構造とすることができる。他の材料の強度および耐久性が、トラクション、摩耗、１つまたは複数のコード２３へのトラクション荷重の伝達、環境要因への耐性を含め、コーティング層の必要とされる機能を満たすのに十分であるとすれば、ジャケット２４を作成するためにそのような他の材料も使用されることができる。さらなる配列では、ジャケット２４は、組み合わせによる、先に述べた代替例の１つまたは複数とすることができる。
【００４９】
本願のいくつかの非限定的配列では、本開示によるコードに使用されるフィラメントの最小数は、８であり、これは、所望の荷重支持強度を維持しながら、開示されたコードのさまざまな特徴に適合することができるものとして、本願の発明者らによって決定されたものである。いくつかの実施例では、本開示によるコードに使用されるフィラメントの最大数は、４９とすることができる。ここで開示されたフィラメントの空間配列と組み合わされたフィラメントの数は、本願の技術分野では既知でも意図されてもいない。
【００５０】
図４のジャケットは、平坦であるように思われるが、本発明はまた、溝またはリブを有する被覆ベルト、例えば「ポリＶ」ベルトを用いて使用されることができる。
【００５１】
ここで図１１を参照すると、本開示による被覆ロープまたはベルトを作成する方法１００が示されている。方法１００は、複数の撚られていないフィラメントを二次螺旋構造を有さないコードに配列し（１０１）、コードのうちの少なくとも１つをジャケット内に少なくとも実質的に保持する（１０２）、各工程を含む。
【００５２】
上述したように、配列する工程は、単一の工程で、一次螺旋構造を形成するように、外部フィラメントを撚ることを含むことができる。このような単一の撚り工程の結果、外部フィラメントは、同心とすることができ、同じピッチおよび方向を有することができる。束ね工程はまた、単一の工程で、フィラメントの実質的に直線的かつ平行な空間配向を維持しながら、撚られていないフィラメントを一緒に束ねることを含むことができる。例えば、撚られていないフィラメントは、ワイヤ、テープ、または他の適切な束ねるための機構とすることができる少なくとも１つの拘束ループによって一緒に束ねられることができる。一方、撚られていないフィラメントはまた、コードの長さの少なくとも一部に沿って施される接着剤によって一緒に束ねられることができる。
【００５３】
本開示のいくつかの実施例で使用されるスチールフィラメントは、約１８００〜約３３００ＭＰａまたは約２３００〜約２７００ＭＰａなどの、引き抜き軟鋼から作成されることができる。スチールフィラメントは、ＳＫＥＴ  Ｖｅｒｓｅｉｌｍａｓｃｈｉｎｅｎｂａｕ  ＧｍｂＨ（ｈｔｔｐ：／／ｄｏｗｎｌｏａｄｓ．ｇｅｒｍａｎ−ｐａｖｉｌｉｏｎ．ｃｏｍ／ｄｏｗｎｌｏａｄｓ／ｐｄｆ／ｅｘｈｉｂｉｔｏｒ＿１５６２９．ｐｄｆ）によって提供されるドラムツイスター（ｄｒｕｍ  ｔｗｉｓｔｅｒ）または他のワイヤバンチャー（ｗｉｒｅ  ｂｕｎｃｈｅｒ）などの商業的に入手可能な管状束ね機械を用いて一緒に束ねられることができる。
【産業上の利用可能性】
【００５４】
ここで開示された被覆ロープまたはベルトおよび被覆ロープまたはベルトを作成する方法は、広範囲の産業上、商業上、または家庭における用途を有することができる。被覆ロープまたはベルトは、既存のエレベータシステムに大幅な変更を加えずに既存のエレベータシステムに好都合に取り付けることができる。さらに、上述したように、張力コードの耐久性および／または性能が維持されまたは本願の技術分野において知られる従来の張力部材に比べて向上されることさえできながら、製造費用および時間が、単一の束ね工程の結果、大幅に低減されることができる。
【００５５】
特定の実施例のみを説明してきたが、上述の説明から当業者には代替の実施例およびさまざまな修正例が明らかであろう。これらと他の代替例は、均等物と見なされ、本開示の趣旨および範囲に含まれる。
【図１】
2014514226.tif 000003
【図２】
2014514226.tif 000004
【図３】
2014514226.tif 000005
【図４】
2014514226.tif 000006
【図５】
2014514226.tif 000007
【図６】
2014514226.tif 000008
【図７】
2014514226.tif 000009
【図８】
2014514226.tif 000010
【図９】
2014514226.tif 000011
【図１０】
2014514226.tif 000012
【図１１】
2014514226.tif 000013
【国際調査報告】
2014514226.tif 000014
2014514226.tif 000015